(57)【要約】【課題】閉塞部材が設けられるチューブを備えた医療用液体貯留バッグにおいて、チューブが開通した状態を維持する。【解決手段】透析液を貯留する貯留袋の液体流出口に連通接続され貯留袋内の透析液を流通させて外部に供給するための流通管１０２と、流通管１０２の内部に固定された固定部１１１と固定部１１１に分離可能に接続された分離部１１２とを有し分離部１１２が固定部１１１に接続された状態で流通管１０２が閉塞される一方分離部１１２が固定部１１１から分離した状態で流通管１０２が開通するように構成される連通ピース１１０と、を備える透析液容器に取り付けられるクリップ１２０である。連通ピース１１０の分離部１１２が固定部１１１から分離して流通管１０２が開通した場合に、クリップ１２０で分離部１１２を流通管１０２の外部から挟持して分離部１１２を流通管１０２に固定する。【選択図】図４
2011182822.tif 000002
【特許請求の範囲】
【請求項１】
医療用液体を貯留する貯留袋の液体流出口に連通接続され前記貯留袋内の医療用液体を流通させて外部に供給するための流通管と、前記流通管の内部に固定された筒状の第一部分と前記第一部分に分離可能に接続された第二部分とを有し前記第二部分が前記第一部分に接続された状態で前記流通管が閉塞される一方前記第二部分が前記第一部分から分離した状態で前記流通管が開通するように構成される閉塞部材と、を備える医療用液体貯留バッグに取り付けられる固定部材であって、
前記閉塞部材の前記第二部分が前記第一部分から分離して前記流通管が開通した場合に前記第二部分を前記流通管の外部から挟持することにより前記流通管に固定する、
固定部材。
【請求項２】
前記閉塞部材の前記第一部分から分離した前記第二部分を、前記流通管の２箇所に外部から押圧力を加えて挟持するものである、
請求項１に記載の固定部材。
【請求項３】
前記閉塞部材の前記第一部分から分離した前記第二部分を、前記流通管の３箇所に外部から押圧力を加えて挟持するものである、
請求項１に記載の固定部材。
【請求項４】
医療用液体を貯留する貯留袋と、前記貯留袋の液体流出口に連通接続され前記貯留袋内の医療用液体を流通させて外部に供給するための流通管と、前記流通管の内部に固定された筒状の第一部分と前記第一部分に分離可能に接続された第二部分とを有し前記第二部分が前記第一部分に接続された状態で前記流通管が閉塞される一方前記第二部分が前記第一部分から分離した状態で前記流通管が開通するように構成される閉塞部材と、を有する医療用液体貯留バッグと、
前記閉塞部材の前記第二部分が前記第一部分から分離して前記流通管が開通した場合に前記第二部分を前記流通管の外部から挟持することにより前記流通管に固定する固定部材と、
を備える、
医療器具。
【請求項５】
前記固定部材は、前記閉塞部材の前記第一部分から分離した前記第二部分を、前記流通管の２箇所に外部から押圧力を加えて挟持するものである、
請求項４に記載の医療器具。
【請求項６】
前記固定部材は、前記閉塞部材の前記第一部分から分離した前記第二部分を、前記流通管の３箇所に外部から押圧力を加えて挟持するものである、
請求項４に記載の医療器具。
【請求項７】
医療用液体を貯留する貯留袋と、前記貯留袋の液体流出口に連通接続され前記貯留袋内の医療用液体を流通させて外部に供給するための流通管と、前記流通管の内部に固定された筒状の第一部分と前記第一部分に分離可能に接続された第二部分とを有し前記第二部分が前記第一部分に接続された状態で前記流通管が閉塞される一方前記第二部分が前記第一部分から分離した状態で前記流通管が開通するように構成される閉塞部材と、を備える医療用液体貯留バッグであって、
前記閉塞部材の前記第二部分が前記第一部分から分離して前記流通管が開通した場合に前記第二部分を前記流通管の外部から挟持する固定手段により、前記第一部分から分離した前記第二部分が前記流通管に固定されている、
医療用液体貯留バッグ。
【請求項８】
前記閉塞部材の前記第一部分から分離した前記第二部分は、前記流通管の２箇所に外部から押圧力を加えられた状態で挟持されている、
請求項７に記載の医療用液体貯留バッグ。
【請求項９】
前記閉塞部材の前記第一部分から分離した前記第二部分は、前記流通管の３箇所に外部から押圧力を加えられた状態で挟持されている、
請求項７に記載の医療用液体貯留バッグ。
【請求項１０】
請求項７から９の何れか一項に記載の医療用液体貯留バッグと、血液浄化器と、患者の血液を前記血液浄化器に流す第一の流路と、前記第一の流路中に配置され前記血液を前記血液浄化器に流すための圧力を付与する血液ポンプと、前記血液浄化器を通過した血液を前記患者の体内に戻す第二の流路と、を備えた血液浄化装置であって、
前記医療用液体貯留バッグは、第三の流路を介して前記第一の流路及び／又は前記第二の流路に接続されている、
血液浄化装置。
【請求項１１】
前記血液浄化器の非血液側に液体を流入させる第四の流路を備える、
請求項１０に記載の血液浄化装置。
【発明の詳細な説明】
【技術分野】
【０００１】
本発明は、固定部材、医療器具、医療用液体貯留バッグ及び血液浄化装置に関する。
【背景技術】
【０００２】
従来より、医療分野において、患者の体内から採り出した血液や治療用薬液（生理食塩水や透析液等）を保存・輸送する際に使用される医療用液体貯留バッグ（以下、「医療用バッグ」ということがある）が提案され、実用化されている。医療用バッグは、血液や薬液を貯留する貯留袋と、この貯留袋の液体流出口に連通接続されるチューブ（流通管）と、を備えている。
【０００３】
現在においては、このような医療用バッグのチューブ内の流路を使用前に閉塞し使用時に開通するように構成された閉塞部材が提案されている。例えば、チューブ内に固定された筒状の固定部と、この固定部の上流側に配置され固定部に分離可能に接続された柱状の分離部と、を有し、分離部の中腹部を大径に端部を小径に各々形成した閉塞部材が提案されている（特許文献１参照）。かかる閉塞部材を採用すると、使用時に分離部を固定部から分離させた際に、固定部に形成された開口が分離部の端部によって塞がれることを抑制してチューブ内の流路を確保することが可能となる。
【０００４】
また、近年においては、チューブ内に固定された筒状の固定部と、この固定部の下流側に配置され固定部に分離可能に接続された柱状の分離部と、を有し、分離部の周壁から下流側端部に連通する連通孔を形成した閉塞部材が提案されている（特許文献２参照）。かかる閉塞部材を採用すると、使用時に分離部が固定部から分離し下流側に流されてチューブ内の段差に突き当たった場合においても、分離部に形成した連通孔により流路を確保することが可能となる。
【先行技術文献】
【特許文献】
【０００５】
【特許文献１】特許第３４２９９００号公報
【特許文献２】特開２００９−１２５５２５号公報
【発明の概要】
【発明が解決しようとする課題】
【０００６】
前記した特許文献１及び２に記載された従来の閉塞部材においては、チューブ内に固定されている固定部から分離部を分離させて流路を開通するような構成を採用しているが、固定部から分離した分離部の姿勢や位置を制御することができない。このため、チューブ内を流れる医療用液体の圧力等によっては、分離した分離部によりチューブ内の流路が再度塞がれる可能性があった。
【０００７】
本発明は、かかる事情に鑑みてなされたものであり、閉塞部材が設けられるチューブを備えた医療用液体貯留バッグにおいて、チューブが開通した状態を維持することを目的とする。
【課題を解決するための手段】
【０００８】
前記目的を達成するため、本発明に係る固定部材は、医療用液体を貯留する貯留袋の液体流出口に連通接続され貯留袋内の医療用液体を流通させて外部に供給するための流通管と、流通管の内部に固定された筒状の第一部分と第一部分に分離可能に接続された第二部分とを有し第二部分が第一部分に接続された状態で流通管が閉塞される一方第二部分が第一部分から分離した状態で流通管が開通するように構成される閉塞部材と、を備える医療用液体貯留バッグに取り付けられる固定部材であって、閉塞部材の第二部分が第一部分から分離して流通管が開通した場合に第二部分を流通管の外部から挟持することにより流通管に固定するものである。
【０００９】
本発明に係る医療器具は、医療用液体を貯留する貯留袋と、貯留袋の液体流出口に連通接続され貯留袋内の医療用液体を流通させて外部に供給するための流通管と、流通管の内部に固定された筒状の第一部分と第一部分に分離可能に接続された第二部分とを有し第二部分が第一部分に接続された状態で流通管が閉塞される一方第二部分が第一部分から分離した状態で流通管が開通するように構成される閉塞部材と、を有する医療用液体貯留バッグと、閉塞部材の第二部分が第一部分から分離して流通管が開通した場合に第二部分を流通管の外部から挟持することにより流通管に固定する固定部材と、を備えるものである。
【００１０】
本発明に係る医療用液体貯留バッグは、医療用液体を貯留する貯留袋と、貯留袋の液体流出口に連通接続され貯留袋内の医療用液体を流通させて外部に供給するための流通管と、流通管の内部に固定された筒状の第一部分と第一部分に分離可能に接続された第二部分とを有し第二部分が第一部分に接続された状態で流通管が閉塞される一方第二部分が第一部分から分離した状態で流通管が開通するように構成される閉塞部材と、を備える医療用液体貯留バッグであって、閉塞部材の第二部分が第一部分から分離して流通管が開通した場合に第二部分を流通管の外部から挟持する固定手段により、第一部分から分離した第二部分が流通管に固定されているものである。
【００１１】
かかる構成を採用すると、医療用液体貯留バッグに設けられる閉塞部材の第二部分が第一部分から分離した状態で、第二部分を固定部材で流通管の外部から挟持して流通管に固定することができるので、流通管が開通した状態を維持することができる。従って、分離後の第二部分が筒状の第一部分を塞いでしまうことを防ぐことができるので、貯留袋から供給される医療用液体を、流通管を介して確実に外部に供給することができる。
【００１２】
前記医療器具及び前記医療用液体貯留バッグにおいて、閉塞部材の第一の部分から分離した第二の部分を流通管の２箇所に外部から押圧力を加えて挟持する固定部材を採用することができる。
【００１３】
かかる構成を採用すると、固定部材の構造をきわめて簡素なもの（２点挟持構造）にすることができる。
【００１４】
また、前記医療器具及び前記医療用液体貯留バッグにおいて、閉塞部材の第一の部分から分離した第二の部分を流通管の３箇所に外部から押圧力を加えて挟持する固定部材を採用することもできる。
【００１５】
かかる構成を採用すると、流通管の３箇所に外部から押圧力を加えて挟持する（３点挟持）ことができるので、閉塞部材の第一部分から分離した第二部分を、より確実に流通管に固定することができる。
【００１６】
また、本発明に係る血液浄化装置は、前記医療用液体貯留バッグと、血液浄化器と、患者の血液を血液浄化器に流す第一の流路と、第一の流路中に配置され血液を血液浄化器に流すための圧力を付与する血液ポンプと、血液浄化器を通過した血液を患者の体内に戻す第二の流路と、を備えた血液浄化装置であって、医療用液体貯留バッグが、第三の流路を介して第一の流路及び／又は第二の流路に接続されているものである。
【００１７】
前記血液浄化装置において、血液浄化器の非血液側に液体を流入させる第四の流路を備えることもできる。
【発明の効果】
【００１８】
本発明によれば、閉塞部材が設けられるチューブを備えた医療用液体貯留バッグにおいて、チューブが開通した状態を維持することが可能となる。
【図面の簡単な説明】
【００１９】
【図１】本発明の第一実施形態に係る血液透析装置（血液浄化装置）の全体構成を説明するための構成図である。
【図２】本発明の第一実施形態に係る透析液容器（医療用液体貯留バッグ）の外観図である。
【図３】図２に示す透析液容器に設けられる連通ピースの構成を説明するためのものであり、（Ａ）は使用前の状態を示す構成図（図２のIII部分の拡大図）、（Ｂ）は使用時の状態を示す構成図である。
【図４】本発明の第一実施形態に係るクリップ（固定部材）で連通ピースの分離部を流通管に固定した状態を示すものであり、（Ａ）はクリップの平面図（流通管の断面図を含む）、（Ｂ）はクリップの側面図（流通管の断面図を含む）である。
【図５】本発明の第二実施形態に係るクリップの平面図（流通管の断面図を含む）である。
【図６】本発明の第三実施形態に係るクリップの斜視図である。
【図７】図６に示すクリップで連通ピースの分離部を流通管に固定した状態を示すものであり、（Ａ）はクリップの側面図（流通管の断面図を含む）、（Ｂ）は（Ａ）のVIIB-VIIB部分の断面図、（Ｃ）は（Ａ）のVIIC-VIIC部分の断面図である。
【発明を実施するための形態】
【００２０】
以下、図面を参照して、本発明の実施形態について説明する。
【００２１】
＜第一実施形態＞
まず、本発明の第一実施形態について説明する。最初に、図１を用いて、本発明の第一実施形態に係る血液透析装置１の全体構成について説明する。血液透析装置１は、本発明における血液浄化装置に相当するものであり、人体から採血穿刺針２を通じて取り出された血液を透析し、その後返血穿刺針３を通じて人体に戻すための体外循環回路１０を備えている。
【００２２】
体外循環回路１０は、血液の所定成分を分離可能な分離モジュール２０と、採血穿刺針２から分離モジュール２０の血液側に血液を送り、分離モジュール２０の血液側を通過した血液を返血穿刺針３に戻す血液回路３０と、分離モジュール２０の非血液側に透析液を供給する透析液供給路４０と、分離モジュール２０の非血液側から透析後の濾液を透析液と共に排出する排液流路５０と、血液回路３０に補液を補充する補液供給路６０と、を有している。
【００２３】
分離モジュール２０は、本発明における血液浄化器に相当するものであり、両端が閉鎖された円筒状のハウジング２１を有している。ハウジング２１内には、分離材である中空糸膜束Ａが長手方向に収容されている。ハウジング２１の長手方向の一方には血液導入口２２が設けられ、他方には血液導出口２３が形成されており、これら血液導入口２２及び血液導出口２３に血液回路３０の管路が接続されている。また、ハウジング２１の外周側面には、透析液供給路４０が接続された透析液導入口２４と、排液流路５０が接続された排液導出口２５と、が形成されている。
【００２４】
血液導入口２２から流入した血液は、分離モジュール２０の血液側である中空糸膜束Ａの管内を通り、血液導出口２３から流出される。また、中空糸膜束Ａを通過する血液の所定成分は、中空糸膜の側壁孔を通過し、分離モジュール２０の非血液側である、ハウジング２１内の中空糸膜束Ａの外周空間Ｂに流出し、その外周空間Ｂから排液導出口２５を通じて流出される。
【００２５】
血液回路３０には、採血穿刺針２から分離モジュール２０側に向けて順にポンプ３１及びドリップチャンバ３２が設けられている。ポンプ３１とドリップチャンバ３２との間には、抗凝固薬注入装置３３に通じる分岐路３４が接続されている。また、血液回路３０には、分離モジュール２０から返血穿刺針３側に向けて順にドリップチャンバ３５及び開閉弁３６が設けられている。
【００２６】
なお、血液回路３０のうち分離モジュール２０より上流側の部分（患者の血液を分離モジュール２０に流すための部分）は、本発明における第一の流路に相当する。一方、血液回路３０のうち分離モジュール２０より下流側の部分（分離モジュール２０を通過した血液を患者の体内に戻す部分）は、本発明における第二の流路に相当する。また、ポンプ３１は、採血穿刺針２を通じて血液回路３に取り出された血液を分離モジュール２０に流すための圧力を付与するものであり、本発明における血液ポンプに相当するものである。
【００２７】
透析液供給路４０には、透析液容器１００が接続されており、途中にポンプ４１が設けられている。排液流路５０には、ポンプ５１が設けられており、排液容器５２に通じている。補液供給路６０には、補液容器２００が接続されており、途中にポンプ６１が設けられている。補液供給路６０は、分離モジュール２０とドリップチャンバ３５の間の血液回路３０に接続されている。
【００２８】
透析液を貯留した透析液容器１００及び補液を貯留した補液容器２００は何れも本発明における医療用液体貯留バッグに相当するものであり、その構成については図２等を用いて後述することとする。補液容器２００と血液回路３０とを連通接続する補液供給路６０は、本発明における第三の流路に相当する。また、透析液容器１００内の透析液を分離モジュール２０の非血液側（ハウジング２１内の中空糸膜束Ａの外周空間Ｂ）に流入させる透析液供給路４０は、本発明における第四の流路に相当する。
【００２９】
本実施形態に係る血液透析装置１においては、採血穿刺針２と返血穿刺針３を患者の腕に穿刺し、体外循環回路１０内のポンプ３２、４１、５１、６１等を作動させることにより、患者の血液が、採血穿刺針２を通じて採取され血液回路３０を通じて流され、分離モジュール２０の血液側を通過した後、返血穿刺針３を通じて患者に戻される。その一方で、透析液が、透析液容器１００から分離モジュール２０の非血液側の外周空間Ｂに供給され、外周空間Ｂから排液流路５０を通じて排液容器５２に排出される。このとき、分離モジュール２０内の血液側の血液の老廃物等の不要成分が、中空糸膜の側壁孔から非血液側に通過し、この濾液が透析液とともに排液流路５０に流出し、排液容器５２に排出される。このように、血液透析装置１では、患者の血液が透析され浄化されて体内に戻される。
【００３０】
次いで、図２〜図４を用いて、本実施形態に係る医療用液体貯留バッグについて説明する。本実施形態においては、医療用液体貯留バッグの例として、血液透析装置１に設けられる透析液容器１００を挙げて説明することとする。なお、透析液容器１００と実質的に同様の構成を有する補液容器２００については説明を省略する。
【００３１】
透析液容器１００は、図２に示すように、透析液を貯留する貯留袋１０１と、貯留袋１０１の液体流出口１０１ａに連通接続され貯留袋１０１内の透析液を流通させて外部に供給するための流通管１０２と、流通管１０２の内部に配置される連通ピース１１０と、を備えている。連通ピース１１０は、本発明における閉塞手段に相当するものであり、図３に示すように、流通管１０２の内部に固定された円筒状の固定部（第一部分）１１１と、固定部１１１に薄肉部１１３を介して分離可能に接続された角柱状の分離部（第二部分）１１２と、を有している。
【００３２】
透析液容器１００の使用前には、図３（Ａ）に示すように連通ピース１１０の分離部１１２が固定部１１１に接続されており、流通管１０２が閉塞された状態となっているため、透析液の流出が阻止される。一方、透析液容器１００を使用する際には、図３（Ｂ）に示すように連通ピース１１０の薄肉部１１３を破断して分離部１１２を固定部１１１から分離させ、固定部１１１の上流側に開口１１１ａを形成することにより、流通管１０２を開通させる。これにより、貯留袋１０１に貯留された透析液は、開通した流通管１０２を経由して外部に流出することとなる。
【００３３】
このような連通ピースが設けられた従来の医療用液体貯留バッグにおいては、連通ピースの固定部から分離した分離部の姿勢や位置を制御することができないため、分離部により流通管が再度塞がれて、医療用液体の流出が妨げられる場合があった。
【００３４】
そこで、本実施形態に係る透析液容器１００においては、連通ピース１１０の分離部１１２が固定部１１１から分離して流通管１０２が開通した場合に、図４に示すようにクリップ１２０で分離部１１２を流通管１０２の外部から挟持することにより、分離部１１２を流通管１０２に固定することとしている。以下、本発明における固定部材に相当するクリップ１２０について説明することとする。
【００３５】
本実施形態におけるクリップ１２０は、図４（Ａ）、（Ｂ）に示すように、連通ピース１１０の固定部１１１から分離した分離部１１２を流通管１０２の外部から２点で挟持するものである。クリップ１２０は、流通管１０２の外周面に当接する球状の第一当接部１２２を先端に有する第一アーム１２１と、流通管１０２の外周面に当接する球状の第二当接部１２４を先端に有する第二アーム１２３と、第一アーム１２１と第二アーム１２３とを回動自在に連結する回動部１２５と、を有している。
【００３６】
クリップ１２０の回動部１２５には、図示されていない弾性部材が内蔵されており、この弾性部材により、第一アーム１２１及び第二アーム１２３は、図４（Ａ）の矢印Ｒの方向に回動するように付勢されている。従って、第一アーム１２１の先端に配置された第一当接部１２２と、第二アーム１２３の先端に配置された第二当接部１２４と、は弾性部材により相互に近接するように付勢されることとなる。
【００３７】
クリップ１２０を使用する際には、回動部１２５に内蔵された弾性部材の付勢力に抗する力を手指等で加えることによりアーム（第一アーム１２１及び第二アーム１２３）を開き、第一当接部１２２と第二当接部１２４との間に、流通管１０２及び連通ピース１１０の分離部１１２を挟み込むことができる程度の間隙を形成する。そして、その間隙に、流通管１０２及び分離部１１２を挟み込んだ後、弾性部材の付勢力に抗する力を除去する。これにより、連通ピース１１０の分離部１１２を、流通管１０２の外周面の対向する２箇所１０２Ａ、１０２Ｂに外部からクリップ１２０の第一当接部１２２及び第二当接部１２４で押圧力を加えて挟持することができる。
【００３８】
以上説明した実施形態に係る透析液容器１００においては、連通ピース１１０の分離部１１２が固定部１１１から分離した状態で、分離部１１２をクリップ１２０で流通管１０２の外部から挟持して流通管１０２に固定することができるので、流通管１０２が開通した状態を維持することができる。
【００３９】
また、以上説明した実施形態に係る透析液容器１００においては、連通ピース１１０の固定部１１１から分離した分離部１１２を流通管１０２の２箇所に外部から押圧力を加えて挟持する２点挟持型のクリップ１２０を採用しており、クリップ１２０の構造をきわめて簡素なものにすることができる。
【００４０】
また、以上説明した実施形態に係る血液透析装置１においては、透析液容器１００に設けられた連通ピース１１０の分離部１１２を、クリップ１２０で流通管１０２の外部から挟持して流通管１０２に固定して、流通管１０２が開通した状態を維持することができる。従って、連通ピース１１０の分離部１１２が固定部１１１の開口１１１ａを塞いでしまうことを防ぐことができるので、貯留袋１０１から供給される透析液を、流通管１０２を介して確実に外部に供給することができる。この結果、所定流量の透析液を確実に分離モジュール２０に供給することができるので、血液透析装置１の流量異常警報等を発生させることなく安定した動作を維持することができ、なおかつ、期待した透析治療効果をあげることが可能となる。
【００４１】
＜第二実施形態＞
次に、図５を用いて、本発明の第二実施形態について説明する。本実施形態に係る血液透析装置は、透析液容器に取り付けられるクリップの構成を変更したものであり、その他の構成については第一実施形態と実質的に同一である。従って、変更したクリップの構成についてのみ説明することとし、重複する構成については第一実施形態と同一の符号を付して説明を省略する。
【００４２】
本実施形態におけるクリップ１３０は、図５に示すように、連通ピースの固定部から分離した分離部１１２を流通管１０２の外部から２点で挟持するものであり、本発明における固定部材に相当する。クリップ１３０は、第一棒状部１３１と、第二棒状部１３２と、第一棒状部１３１と第二棒状部１３２とを回動自在に連結する回動部１３３と、を有している。第一棒状部１３１の内側面１３１ａ及び第二棒状部１３２の内側面１３２ａは、図５に示すように、流通管１０２の外周面に当接するようになっている。クリップ１３０の回動部１３３には、図示されていない弾性部材が内蔵されており、この弾性部材により、第一棒状部１３１及び第二棒状部１３２は、図５の矢印Ｒの方向に回動するように付勢されている。
【００４３】
クリップ１３０を使用する際には、回動部１３３に内蔵された弾性部材の付勢力に抗する力を手指等で加えることにより、第一棒状部１３１及び第二棒状部１３２をＶ字状に開き、第一棒状部１３１と第二棒状部１３２との間に、流通管１０２及び分離部１１２を挟み込むことができる程度の間隙を形成する。そして、その間隙に、流通管１０２及び分離部１１２を挟み込んだ後、弾性部材の付勢力に抗する力を除去する。これにより、連通ピースの分離部１１２を、流通管１０２の外周面の２箇所に外部からクリップ１３０の第一棒状部１３１の内側面１３１ａ及び第二棒状部１３２の内側面１３２ａで押圧力を加えて挟持することができる。
【００４４】
以上説明した実施形態に係る透析液容器においては、連通ピースの分離部１１２が固定部から分離した状態で、分離部１１２をクリップ１３０で流通管１０２の外部から挟持して流通管１０２に固定することができるので、流通管１０２が開通した状態を維持することができる。
【００４５】
また、以上説明した実施形態に係る透析液容器においては、連通ピースの固定部から分離した分離部１１２を流通管１０２の２箇所に外部から押圧力を加えて挟持する２点挟持型のクリップ１３０を採用しており、クリップ１３０の構造をきわめて簡素なものにすることができる。
【００４６】
また、以上説明した実施形態に係る血液透析装置においては、透析液容器に設けられた連通ピースの分離部１１２を、クリップ１３０で流通管１０２の外部から挟持して流通管１０２に固定して、流通管１０２が開通した状態を維持することができる。従って、連通ピースの分離部１１２が固定部の開口を塞いでしまうことを防ぐことができるので、貯留袋から供給される透析液を、流通管１０２を介して確実に外部に供給することができる。この結果、所定流量の透析液を確実に分離モジュールに供給することができるので、期待した透析治療効果をあげることが可能となる。
【００４７】
＜第三実施形態＞
次に、図６及び図７を用いて、本発明の第三実施形態について説明する。本実施形態に係る血液透析装置は、透析液容器に取り付けられるクリップの構成を変更したものであり、その他の構成については第一実施形態と実質的に同一である。従って、変更したクリップの構成についてのみ説明することとし、重複する構成については第一実施形態と同一の符号を付して説明を省略する。
【００４８】
本実施形態におけるクリップ１４０は、図６及び図７に示すように、連通ピースの固定部１１１から分離した分離部１１２を流通管１０２の外部から３点で挟持するものであり、本発明における固定部材に相当する。クリップ１４０は、流通管１０２の外周面に当接する球状の当接部（第一当接部１４２、第二当接部１４４、第三当接部１４６）を先端に有する３本のアーム（第一アーム１４１、第二アーム１４３、第三アーム１４５）と、３本のアームを回動自在に連結する円柱状の回動部１４７と、を有している。第一アーム１４１及び第三アーム１４５と、第二アーム１４３と、は流通管１０２（及び分離部１１２）を挟んで相互に対向するように配置されている。
【００４９】
クリップ１４０の回動部１４７には、図示されていない弾性部材が内蔵されており、この弾性部材により、３本のアームは、図７(Ｂ)、(Ｃ)の矢印Ｒの方向に回動するように付勢されている。従って、第一アーム１４１の先端に配置された第一当接部１４２及び第三アーム１４５の先端に配置された第三当接部１４６と、第二アーム１４３の先端に配置された第二当接部１４４と、は弾性部材により流通管１０２（及び分離部１１２）を挟んで相互に近接するように付勢されることとなる。
【００５０】
クリップ１４０を使用する際には、回動部１４７に内蔵された弾性部材の付勢力に抗する力を手指等で加えることにより第一アーム１４１及び第三アーム１４５に対して第二アーム１４３を離隔させるように開き、第一当接部１４２及び第三当接部１４６と、第二当接部１４４と、の間に流通管１０２及び分離部１１２を挟み込むことができる程度の間隙を形成する。そして、その間隙に、流通管１０２及び分離部１１２を挟み込んだ後、弾性部材の付勢力に抗する力を除去する。これにより、連通ピースの分離部１１２を、流通管１０２の外周面の３箇所１０２Ｃ、１０２Ｄ、１０２Ｅに外部からクリップ１４０の第一当接部１４２、第二当接部１４４、第三当接部１４６で押圧力を加えて挟持することができる。
【００５１】
以上説明した実施形態に係る透析液容器においては、連通ピースの分離部１１２が固定部１１１から分離した状態で、分離部１１２をクリップ１４０で流通管１０２の外部から挟持して流通管１０２に固定することができるので、流通管１０２が開通した状態を維持することができる。
【００５２】
また、以上説明した実施形態に係る透析液容器においては、連通ピースの固定部１１１から分離した分離部１１２を流通管１０２の３箇所に外部から押圧力を加えて挟持する３点挟持型のクリップ１４０を採用しているため、連通ピースの固定部１１１から分離した分離部１１２を、より確実に流通管１０２に固定することができる。また、３点挟持型のクリップ１４０を採用しているため、例えば図７（Ａ）、（Ｂ）、（Ｃ）に示す流路空間１０３、１０４、１０５を形成して、分離部１１２を挟持した際における流通管１０２内の流路面積を拡大することができる。従って、透析液をより確実に流通させることができる。
【００５３】
また、以上説明した実施形態に係る血液透析装置においては、透析液容器に設けられた連通ピースの分離部１１２を、クリップ１４０で流通管１０２の外部から挟持して流通管１０２に固定して、流通管１０２が開通した状態を維持することができる。従って、連通ピースの分離部１１２が固定部１１１の開口１１１ａを塞いでしまうことを防ぐことができるので、貯留袋から供給される透析液を、流通管１０２を介して確実に外部に供給することができる。この結果、所定流量の透析液を確実に分離モジュールに供給することができるので、期待した透析治療効果をあげることが可能となる。
【００５４】
なお、以上説明した各実施形態においては、血液透析装置（血液浄化装置）の透析液容器（医療用液体貯留バッグ）にクリップ（固定手段）を取り付けた状態を例示したが、透析液容器や補液容器（医療用液体貯留バッグ）と、２点挟持型や３点挟持型のクリップ（固定手段）と、を対にして医療器具（キット）を構成し、この医療器具を他の構成とは別に流通させることもできる。
【００５５】
また、以上説明した実施形態においては、２点挟持型及び３点挟持型のクリップを固定手段として採用した例を示したが、固定手段の構成はこれに限られるものではない。すなわち、連通ピースの分離部が固定部から分離して流通管が開通した場合に、分離部を流通管の外部から挟持して固定することができるような構成であれば、いかなる構成を採用することもできる。
【００５６】
また、以上説明した実施形態においては、角柱状の分離部（図４等）を有する連通ピースを採用した例を示したが、分離部の形状はこれに限られるものではなく、例えば円柱状の分離部を採用することもできる。
【００５７】
また、以上説明した各実施形態においては、医療用液体貯留バッグとしての補液容器２００を、血液回路３０のうち分離モジュール２０の下流側の部分（第二の流路）に接続した例を示したが、医療用液体貯留バッグ（例えば生理食塩水等を貯留したプライミング液容器）を、血液回路３０のうち分離モジュール２０の上流側の部分（第一の流路）に接続することもできる。
【００５８】
また、以上説明した各実施形態においては、透析療法に使用される血液透析装置に本発明を適用した例を示したが、本発明の適用範囲はこれに限られるものではない。例えば、血漿交換療法、吸着式血液浄化療法、白血球除去療法、腹水濾過濃縮再静注法、持続緩除式血液濾過療法等に使用される各種血液浄化装置に本発明を適用することができる。
【符号の説明】
【００５９】
１…血液透析装置（血液浄化装置）
２０…分離モジュール（血液浄化器）
３０…血液流路（第一の流路、第二の流路）
３１…ポンプ（血液ポンプ）
４０…透析液供給路（第四の流路）
６０…補液供給路（第三の流路）
１００…透析液容器（医療用液体貯留バッグ）
１０１…貯留袋
１０１ａ…液体流出口
１０２…流通管
１１０…連通ピース（閉塞手段）
１１１…固定部（第一部分）
１１２…分離部（第二部分）
１２０・１３０・１４０…クリップ（固定部材）
２００…補液容器（医療用液体貯留バッグ）
【図１】
2011182822.tif 000003
【図２】
2011182822.tif 000004
【図３】
2011182822.tif 000005
【図４】
2011182822.tif 000006
【図５】
2011182822.tif 000007
【図６】
2011182822.tif 000008
【図７】
2011182822.tif 000009